(57)【要約】 実施形態による照明装置は、上部開口及び下部開口を有するハウジング；前記上部開口に配置された光学板；前記下部開口に配置された放熱体；前記ハウジングに収納され、前記光学板と前記放熱体との間に配置されて、外部電源の提供を受ける駆動部；及び、前記ハウジングに収納され、前記光学板と前記駆動部との間に配置され、前記駆動部と空間的に分離して、前記駆動部と電気的に連結された光源部；を含む。
2014522090.tif 000002
【特許請求の範囲】
【請求項１】
上部開口及び下部開口を有するハウジングと、
前記上部開口に配置された光学板と、
前記下部開口に配置された放熱体と、
前記ハウジングに収納され、前記光学板と前記放熱体との間に配置されて、外部電源の提供を受ける駆動部と、
前記ハウジングに収納され、前記光学板と前記駆動部との間に配置され、前記駆動部と空間的に分離して、前記駆動部と電気的に連結された光源部と、
を含む、照明装置。
【請求項２】
前記ハウジングに収納され、前記光学板と前記光源部との間に配置された反射体を含む、請求項１に記載の照明装置。
【請求項３】
前記反射体は、
前記光源部からの光を前記光学板で反射する反射部と、
前記反射部を前記放熱体の上に支持し、前記駆動部を貫通して、前記放熱体と結合する支持部と、
を含む、請求項２に記載の照明装置。
【請求項４】
前記反射部は、少なくとも２以上の傾斜面を有する、請求項３に記載の照明装置。
【請求項５】
前記光源部は、穴を有する基板と発光素子とを含み、
前記反射部は、前記基板の穴に挿入される突出部を有する、請求項３に記載の照明装置。
【請求項６】
前記突出部は３つであり、
前記３つの突出部の間の間隔は互いに異なる、請求項５に記載の照明装置。
【請求項７】
前記ハウジングは、係止部を有し、
前記反射体は、前記係止部と結合する係止突起を有し、
前記係止突起は、前記反射体が前記ハウジングに収納される方向を軸に回転して前記係止部と結合する、請求項２に記載の照明装置。
【請求項８】
前記光学板の直径は、前記ハウジングの上部開口の直径より大きく、
前記光学板は、前記反射体の係止突起と前記ハウジングの係止部との結合によって前記ハウジングの上部開口に固定される、請求項７に記載の照明装置。
【請求項９】
前記ハウジングは、キーを有し、
前記駆動部と前記放熱体は、前記キーが挿入されるキー溝をそれぞれ有する、請求項１に記載の照明装置。
【請求項１０】
前記駆動部のキー溝は、前記放熱体のキー溝より大きい、請求項９に記載の照明装置。
【請求項１１】
ベース部と前記ベース部の上に配置された突出部とを有する放熱体と、
前記突出部の上に配置された光源部と、
前記ベース部の上に配置され、前記光源部と電気的に連結された駆動部と、
を含む、照明装置。
【請求項１２】
前記突出部は、前記ベース部の中心部に配置される、請求項１１に記載の照明装置。
【請求項１３】
前記駆動部は、外部から電源の提供を受ける回路基板を有し、
前記回路基板は、前記突出部が貫通する穴を有する、請求項１１に記載の照明装置。
【請求項１４】
前記回路基板と前記放熱体のベース部との間に配置された放熱パッドを含む、請求項１３に記載の照明装置。
【請求項１５】
前記放熱パッドは、前記放熱体のベース部の一部分に配置される、請求項１４に記載の照明装置。
【請求項１６】
前記光源部と前記駆動部を電気的に連結し、前記光源部を前記駆動部の上に固定させるコネクタを含む、請求項１１に記載の照明装置。
【請求項１７】
前記コネクタは、導体部と、前記導体部が配置されて挿入溝を有する絶縁本体とを含み、
前記光源部は、一部分が前記絶縁本体の挿入溝に挿入され、前記導体部と電気的に連結される電極パッドを有し、
前記駆動部は、前記絶縁本体の一部分と結合するドッキングを有し、前記コネクタの導体部と電気的に連結される、請求項１６に記載の照明装置。
【請求項１８】
前記放熱体のベース部は穴を有し、
前記突出部は前記穴に結合する、請求項１１に記載の照明装置。
【請求項１９】
前記放熱体と前記光源部との間に配置されたヒートパイプをさらに含む、請求項１１に記載の照明装置。
【請求項２０】
前記放熱体は、内部にヒートパイプ構造を有する、請求項１１に記載の照明装置。
【請求項２１】
放熱体と、
前記放熱体の上に配置された駆動部と、
前記駆動部の上に配置された光源部と、
一部が前記駆動部と前記光源部との間に配置され、前記光源部から発生した熱を前記放熱体に伝達し、前記光源部が前記駆動部の上に配置されるように支持するヒートパイプと、
を含む、照明装置。
【請求項２２】
前記ヒートパイプは、四角形状に折り曲げられた、請求項２１に記載の照明装置。
【請求項２３】
前記ヒートパイプは、両端が互いに連結又は互いに向かい合うように配置される、請求項２１に記載の照明装置。
【請求項２４】
前記ヒートパイプは、少なくとも２以上であり、
前記ヒートパイプは、結合して四角形状を有する、請求項２１に記載の照明装置。
【請求項２５】
前記放熱体は、前記ヒートパイプの一部を収納して前記ヒートパイプを固定させるための収納部を有する、請求項２１に記載の照明装置。
【請求項２６】
前記放熱体の収納部は、前記放熱体の上面、側面及び下面の少なくとも一つに配置される、請求項２５に記載の照明装置。
【請求項２７】
前記ヒートパイプと前記光源部との間に配置された支持板をさらに含む、請求項２１に記載の照明装置。
【発明の詳細な説明】
【技術分野】
【０００１】
実施形態は、照明装置に関する。
【背景技術】
【０００２】
発光ダイオード（ＬＥＤ）は、電気エネルギーを光に変換する半導体素子の一種である。発光ダイオードは、蛍光灯、白熱灯などの従来の光源に比べて、低消費電力、半永久的な寿命、素早い応答速度、安全性および環境にやさしいという長所を有する。よって、従来の光源を発光ダイオードに代替するための多くの研究が進められており、発光ダイオードは、室内外で用いられる各種ランプ、液晶表示装置、電光板および街灯などの照明装置の光源として使用が増加する傾向にある。
【発明の概要】
【発明が解決しようとする課題】
【０００３】
実施形態の目的は、光源部と駆動部を分離させることができる照明装置を提供することにある。
【０００４】
また、実施形態の目的は、放熱効率を向上させることができる照明装置を提供することにある。
【０００５】
また、実施形態の目的は、光源部と駆動部を電気的に結合させることができる照明装置を提供することにある。
【０００６】
また、実施形態の目的は、光効率を向上させることができる照明装置を提供することにある。
【０００７】
また、実施形態の目的は、組み立てが容易な照明装置を提供することにある。
【課題を解決するための手段】
【０００８】
実施形態による照明装置は、上部開口及び下部開口を有するハウジング；前記上部開口に配置された光学板；前記下部開口に配置された放熱体；前記ハウジングに収納され、前記光学板と前記放熱体との間に配置され、外部電源の提供を受ける駆動部；及び、前記ハウジングに収納され、前記光学板と前記駆動部との間に配置され、前記駆動部と空間的に分離して、前記駆動部と電気的に連結された光源部；を含む。
【０００９】
ここで、前記ハウジングに収納され、前記光学板と前記光源部との間に配置された反射体を含み得る。
【００１０】
ここで、前記反射体は、前記光源部からの光を前記光学板で反射する反射部；及び、前記反射部を前記放熱体の上に支持し、前記駆動部を貫通して、前記放熱体と結合する支持部；を含み得る。
【００１１】
ここで、前記反射部は、少なくとも２以上の傾斜面を有し得る。
【００１２】
ここで、前記光源部は、穴を有する基板と発光素子とを含み、前記反射部は、前記基板の穴に挿入される突出部を有し得る。
【００１３】
ここで、前記突出部は３つであり、前記３つの突出部の間の間隔は、互いに異なり得る。
【００１４】
ここで、前記ハウジングは係止部を有し、前記反射体は前記係止部と結合する係止突起を有し、前記係止突起は前記反射体が前記ハウジングに収納される方向を軸として回転して前記係止部と結合し得る。
【００１５】
ここで、前記光学板の直径は、前記ハウジングの上部開口の直径より大きく、前記光学板は、前記反射体の係止突起と前記ハウジングの係止部との結合によって前記ハウジングの上部開口に固定され得る。
【００１６】
ここで、前記ハウジングはキーを有し、前記駆動部と前記放熱体は、前記キーが挿入されるキー溝をそれぞれ有し得る。
【００１７】
ここで、前記駆動部のキー溝は、前記放熱体のキー溝より大きくてもよい。
【００１８】
実施形態による照明装置は、ベース部と前記ベース部の上に配置された突出部を有する放熱体；前記突出部の上に配置された光源部；及び、前記ベース部の上に配置され、前記光源部と電気的に連結された駆動部；を含む。
【００１９】
ここで、前記突出部は、前記ベース部の中心部に配置され得る。
【００２０】
ここで、前記駆動部は、外部から電源を提供される回路基板を有し、前記回路基板は、前記突出部が貫通する穴を有し得る。
【００２１】
ここで、前記回路基板と前記放熱体のベース部との間に配置された放熱パッドを含み得る。
【００２２】
ここで、前記放熱パッドは、前記放熱体のベース部の一部分に配置され得る。
【００２３】
ここで、前記光源部と前記駆動部を電気的に連結し、前記光源部を前記駆動部の上に固定させるコネクタを含み得る。
【００２４】
ここで、前記コネクタは、導体部と、前記導体部が配置されて挿入溝を有する絶縁本体とを含み、前記光源部は、一部分が前記絶縁本体の挿入溝に挿入され、前記導体部と電気的に連結される電極パッドを有し、前記駆動部は、前記絶縁本体の一部分と結合するドッキングを有し、前記コネクタの導体部と電気的に連結され得る。
【００２５】
ここで、前記放熱体のベース部は穴を有し、前記突出部は前記穴に結合され得る。
【００２６】
ここで、前記放熱体と前記光源部との間に配置されたヒートパイプをさらに含み得る。
【００２７】
ここで、前記放熱体は、内部にヒートパイプ構造を有し得る。
【００２８】
実施形態による照明装置は、放熱体；前記放熱体の上に配置された駆動部；前記駆動部の上に配置された光源部；及び、一部が前記駆動部と前記光源部との間に配置され、前記光源部から発生した熱を前記放熱体に伝達し、前記光源部が前記駆動部の上に配置されるように支持するヒートパイプ；を含む。
【００２９】
ここで、前記ヒートパイプは、四角形状で折り曲げられる。
【００３０】
ここで、前記ヒートパイプは、両端が互いに連結又は互いに向かい合うように配置され得る。
【００３１】
ここで、前記ヒートパイプは、少なくとも２以上であり、前記ヒートパイプは、結合して四角形状を有し得る。
【００３２】
ここで、前記放熱体は、前記ヒートパイプの一部を収納して前記ヒートパイプを固定させるための収納部を有し得る。
【００３３】
ここで、前記放熱体の収納部は、前記放熱体の上面、側面、及び下面のうち少なくとも一つに配置され得る。
【００３４】
ここで、前記ヒートパイプと前記光源部との間に配置された支持板をさらに含み得る。
【発明の効果】
【００３５】
実施形態による照明装置を使用すると、光源部と駆動部を分離させることができる利点がある。
【００３６】
また、放熱効率を向上させることができる利点がある。
【００３７】
また、光源部と駆動部を電気的に結合させることができる利点がある。
【００３８】
また、光効率を向上させることができる利点がある。
【００３９】
また、組み立てが容易な利点がある。
【図面の簡単な説明】
【００４０】
【図１】実施形態による照明装置を上から見た斜視図である。
【図２】図１に示された照明装置を下から見た斜視図である。
【図３】図１に示された照明装置の分解斜視図である。
【図４】図２に示された照明装置の分解斜視図である。
【図５】図１に示された照明装置の断面図である。
【図６】図３に示された光源部と駆動部の回路基板にコネクタを追加した分解斜視図である。
【図７】図６に示されたコネクタの斜視図である。
【図８】図７に示されたコネクタの分解斜視図である。
【図９】図３に示された放熱体の変形例を示す斜視図である。
【図１０】図９に示された放熱体の分解斜視図である。
【図１１】図９に示された放熱体の断面図である。
【図１２】図３に示された放熱体の第１変形例を示す斜視図である。
【図１３】図３に示された放熱体の第２変形例を示す斜視図である。
【図１４】図３に示された放熱体の第３変形例を示す断面図である。
【図１５】図３に示された放熱体の第４変形例を示す断面図である。
【図１６】図３に示された放熱体の熱分布の様子を示す図面である。
【図１７】図９に示された放熱体の熱分布の様子を示す図面である。
【図１８】図１２に示された放熱体の熱分布の様子を示す図面である。
【図１９】図１４に示された放熱体の熱分布の様子を示す図面である。
【図２０】図１５に示された放熱体の熱分布の様子を示す図面である。
【図２１】図１に示された照明装置の他の実施形態を示す斜視図である。
【図２２】図２１に示された照明装置の分解斜視図である。
【図２３】図２１に示されたヒートパイプのみの斜視図である。
【図２４】図２３に示されたヒートパイプの変形例の斜視図である。
【図２５】図２３に示されたヒートパイプの変形例の斜視図である。
【図２６】図３に示された放熱体の熱分布の様子を示す図面である。
【図２７】図２１に示された放熱体、ヒートパイプ及び支持板の熱分布の様子を示す図面である。
【発明を実施するための形態】
【００４１】
図面において各層の厚さや大きさは、説明の便宜及び明確性のために誇張されるか、省略されるか、又は概略的に示された。また、各構成要素の大きさは、実際の大きさを全体的に反映するものではない。
【００４２】
本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００４３】
以下、添付された図面を参照して実施形態による照明装置を説明する。
【００４４】
図１は、実施形態による照明装置を上から見た斜視図であり、図２は、図１に示された照明装置を下から見た斜視図であり、図３は、図１に示された照明装置の分解斜視図であり、図４は、図２に示された照明装置の分解斜視図であり、図５は、図１に示された照明装置の断面図である。
【００４５】
図１ないし図５を参照すると、実施形態による照明装置は、ハウジング（ｈｏｕｓｉｎｇ）１００、光学板２００、反射体３００、光源部４００、駆動部５００及び放熱体６００を含み得る。
【００４６】
ハウジング１００は、光学板２００、反射体３００、光源部４００、駆動部５００及び放熱体６００を収納する。ハウジング１００は、実施形態による照明装置の外観を構成する。
【００４７】
ハウジング１００は、円柱形状であり得る。しかし、これに限定される訳ではなく、ハウジング１００は多角柱形状であってもよい。
【００４８】
ハウジング１００は、光学板２００、反射体３００、光源部４００、駆動部５００及び放熱体６００を収納するため中空の形状を有する。ハウジング１００は、円柱の上面と底面に対応する部分が開放された状態である。したがって、ハウジング１００は、２つの開口を有するが、以下では説明の便宜のために、前記２つの開口を上部開口１１０ａと下部開口１１０ｂとそれぞれ呼ぶようにする。
【００４９】
光学板２００、反射体３００、光源部４００、駆動部５００及び放熱体６００は、ハウジング１００の下部開口１１０ｂを通じて上部開口１１０ａ側方向に順次収納され得る。
【００５０】
ハウジング１００の上部開口１１０ａは、光学板２００によって塞がれる。上部開口１１０ａの直径が光学板２００の直径より小さく設計されることによって、光学板２００がハウジング１００の上部開口１１０ａを塞ぐことができる。
【００５１】
ハウジング１００の下部開口１１０ｂは、放熱体６００によって塞がれる。放熱体６００の突出突起６２０がハウジング１００の第１溝１５０と結合することによって、放熱体６００がハウジング１００の下部開口１１０ｂを塞ぐことができる。
【００５２】
ハウジング１００は、一つ以上の係止部１３０を有し得る。ここで、係止部１３０の個数は、反射体３００の係止突起３１１の個数と同じであり得る。
【００５３】
ハウジング１００の係止部１３０は、反射体３００の係止突起３１１と結合し得る。具体的に、係止部１３０は、係止突起３１１が挿入され得る挿入溝１３１を有し得る。挿入溝１３１は、反射体３００がハウジング１００に収納される方向と実質的に垂直の方向へ所定の長さを有し得る。係止突起３１１が挿入溝１３１に沿って移動したり、又は、係止突起３１１が、反射体３００がハウジング１００に収納される方向を軸に回転することによって、反射体３００とハウジング１００は互いに異なる締結手段なしに容易に結合することができる。
【００５４】
ハウジング１００は、第１溝１５０を有し得る。第１溝１５０は、放熱体６００の突出突起６２０と結合し得る。第１溝１５０の個数は突出突起６２０の個数に対応し得る。放熱体６００の突出突起６２０がハウジング１００の第１溝１５０に挿入されれば、放熱体６００がハウジング１００の下部開口１１０ｂを塞ぐことになる。
【００５５】
ハウジング１００は、第２溝１７０を有し得る。第２溝１７０には、駆動部５００の突出板５３０とカバー１８０が挿入され得る。
【００５６】
カバー１８０は、ハウジング１００の第２溝１７０に挿入される。カバー１８０は、駆動部５００の突出板５３０がハウジング１００の第２溝１７０に挿入された後、第２溝１７０に残っている部分を塞ぐ。カバー１８０によって、ハウジング１００に流入され得る異物を防ぐことができる。
【００５７】
ハウジング１００は、キー１９０を有し得る。キー１９０は、駆動部５００と放熱体６００がハウジング１００の下部開口１１０ｂを通じて収納される時、駆動部５００と放熱体６００の結合方向と結合位置を知らせる役割をする。
【００５８】
キー１９０は、ハウジング１００の外面から内面方向へ掘った溝形状であり得る。これによって、キー１９０はハウジング１００の内面に突出した形状を有し得る。
【００５９】
キー１９０は、駆動部５００のキー溝５５０に挿入され、放熱体６００のキー溝６３０に挿入され得る。
【００６０】
キー１９０において、駆動部５００のキー溝５５０と結合する部分と放熱体６００のキー溝６３０と結合する部分とは異なる形状を有し得る。具体的に、キー１９０は、駆動部５００のキー溝５５０に挿入される第１キーと放熱体６００のキー溝６３０に挿入される第２キーとを含み得る。第１キーは第２キーより体積がより大きくてもよい。したがって、第１キーに挿入される駆動部５００のキー溝５５０は、第２キーに挿入される放熱体６００のキー溝６３０より大きくてもよい。
【００６１】
光学板２００は、ハウジング１００と反射体３００により、ハウジング１００の上部開口１１０ａを塞ぐことができる。光学板２００は、ハウジング１００と反射体３００の結合の際に、ハウジング１００と反射体３００との間に挟まれることによって別途の締結手段なしにハウジング１００内部に配置され得る。具体的に、反射体３００の外郭部３１０が光学板２００をハウジング１００の下部開口１１０ｂから上部開口１１０ａ側方向に押せば、光学板２００はハウジング１００の上部開口１１０ａに固定される。これは光学板２００の直径がハウジング１００の上部開口１１０ａの直径より大きいため可能である。
【００６２】
光学板２００の内面には乳白色の塗料がコーティングされ得る。塗料には、光学板２００を通過する光を拡散させる拡散材を含み得る。
【００６３】
光学板２００の材質はガラスであり得る。しかし、ガラスは重さや外部衝撃に弱いという問題点があるため、光学板２００は、プラスチック、ポリプロピレン（ＰＰ）、ポリエチレン（ＰＥ）などであり得る。好ましくは、耐光性、耐熱性、衝撃強度特性が良い光拡散用ポリカーボネート（ＰＣ）であり得る。
【００６４】
光学板２００の内面の粗さは、光学板２００の外面の粗さより大きくてもよい。光学板２００の内面の粗さが光学板２００の外面の粗さより大きければ、光源部４００からの光を十分に散乱及び拡散させることができる。
【００６５】
光学板２００は、光源部４００からの光を励起させることができる。光学板２００は、光源部４００からの光を励起させるために、蛍光体を有し得る。蛍光体は、ガーネット（Ｇａｒｎｅｔ）系（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系のうち少なくとも何れか一つ以上を含み得る。光学板２００は、黄色系列の蛍光体を含んで光源部４００からの光を自然光（白色光）に変えることができるが、演色指数の向上と色温度の低減のために緑色系列の蛍光体や赤色系列を蛍光体がさらに含まれ得る。ここで、蛍光体の色相による添加の割合は、赤色系列の蛍光体よりは緑色系列の蛍光体を、緑色系列の蛍光体よりは黄色系列の蛍光体をさらに多く用いることができる。黄色系列の蛍光体としてはガーネット系のＹＡＧ、シリケート系、オキシナイトライド系を用い、緑色系列の蛍光体としてはシリケート系、オキシナイトライド系を用い、赤色系列の蛍光体はナイトライド系を用いることができる。
【００６６】
反射体３００は、ハウジング１００の内部に配置される。反射体３００は、ハウジング１００の下部開口１１０ｂを通じてハウジング１００の内部空間に収納される。
【００６７】
反射体３００は、光学板２００をハウジング１００の内部に固定させる。このために、反射体３００は、外郭部３１０と係止突起３１１を有し得る。
【００６８】
外郭部３１０は、反射部３３０の外周に沿って形成されたもので、その上に光学板２００の外郭部が配置される。係止突起３１１は、外郭部３１０から外側方向に突出又は延びたものであり得る。ここで、係止突起３１１は、反射体３００がハウジング１００に収納される収納方向と実質的に垂直の方向に突出又は延びたものであり得る。係止突起３１１は、ハウジング１００の係止部１３０の溝１３１に挿入され得る。
【００６９】
反射体３００が光学板２００をハウジング１００の内部に固定させる一例を説明すると、反射体３００の外郭部３１０の上に光学板２００が配置された状態で反射体３００がハウジング１００に収納され、反射体３００の係止突起３１１がハウジング１００の係止部１３０と結合することによって可能である。
【００７０】
反射体３００は、光源部４００からの光を光学板２００で反射すことができる。このような反射体３００は、反射部３３０を有し得る。
【００７１】
反射部３３０は、光学板２００又は光源部４００の基板４１０を基準として所定の傾きを有する傾斜面を有し得る。
【００７２】
反射部３３０は、第１反射部３３０ａと第２反射部３３０ｂを含み得る。第１反射部３３０ａと第２反射部３３０ｂは、漏斗形状を有し得る。
【００７３】
第１反射部３３０ａと第２反射部３３０ｂは連結され、それぞれは傾斜面を有する。ここで、光源部４００の基板４１０の上面と第１反射部３３０ａの傾斜面との間の鋭角を形成する角度は、基板４１０の上面と第２反射部３３０ｂの傾斜面との間の鋭角を形成する角度より小さい。このように、第１反射部３３０ａと第２反射部３３０ｂの傾斜面が異なれば、第１反射部３３０ａは光源部４００から放出される光を集光することができ、第２反射部３３０ｂは第１反射部３３０ａで集光された光を広く放つことができ、全体照明装置の光効率を向上することができる。
【００７４】
第１反射部３３０ａは、光学板２００の内面で反射した光を再び光学板２００に再反射することができる。
【００７５】
反射体３００は、光源部４００の基板４１０の上に配置され、基板４１０と結合することができる。このために、反射体３００は、基板４１０の穴４１１に挿入される突出部３５０を有し得る。突出部３５０は、反射体３００の第２反射部３３０ｂに連結され得る。ここで、突出部３５０の数は基板４１０の穴４１１の数に対応し得る。
【００７６】
図面を参照すると、３つの突出部３５０が一定の間隔で落ちて第２反射部３３０ｂに配置されている。あたかも３つの突出部３５０が正三角形を描くように配置されている。ここで、３つの突出部３５０は一程間隔で落ちて配置されないことがある。例えば、３つの突出部３５０が二等辺三角形を描くように配置され得る。このように、３つの突出部３５０間の間隔が互いに異なるように第２反射部３３０ｂに配置されれば、基板４１０を反射体３００に結合する際に基板４１０の結合方向と結合位置を容易に識別することができる。
【００７７】
反射体３００は支持部３７０を有し得る。支持部３７０は反射部３３０を放熱体６００の上に支持する。支持部３７０の一端は放熱体６００に連結され、他端は反射部３３０に連結される。支持部３７０は少なくとも２以上であり得る。図面では、支持部３７０が３つで示されているが、これよりもさらに多く配置されてもよい。
【００７８】
支持部３７０は放熱体６００と連結される。支持部３７０と放熱体６００の結合は、ボルトＢを介して可能である。支持部３７０は、ボルトＢが挿入される溝３７５を有し、放熱体６００もボルトＢが貫通する穴６５０を有する。
【００７９】
支持部３７０と放熱体６００の結合によって、駆動部５００の位置が固定され得る。これは、支持部３７０が駆動部５００の回路基板５１０の貫通穴５７０を貫通して放熱体６００と結合するためである。
【００８０】
光源部４００は光を放出する。光源部４００は放熱体６００の上に配置され、反射体３００と結合し得る。図６を共に参照して説明することにする。
【００８１】
光源部４００は、基板４１０と基板４１０の上に配置された発光素子４３０とを含み得る。
【００８２】
基板４１０は四角形の板形状を有するが、これに限定されず、多様な形態を有し得る。例えば、円形又は多角形の板形状であり得る。このような基板４１０は、絶縁体に回路パターンが印刷されたものであってもよく、例えば、一般印刷回路基板（ＰＣＢ：Ｐｒｉｎｔｅｄ Ｃｉｒｃｕｉｔ Ｂｏａｒｄ）、メタルコア（Ｍｅｔａｌ Ｃｏｒｅ）ＰＣＢ、フレキシブル（Ｆｌｅｘｉｂｌｅ）ＰＣＢ、セラミックＰＣＢなどを含み得る。また、印刷回路基板の上にパッケージしないＬＥＤチップを直接ボンディングすることができるＣＯＢ（Ｃｈｉｐｓ Ｏｎ Ｂｏａｒｄ）タイプを用いることができる。また、基板４１０は、光を効率的に反射する材質で形成されたり、表面が光を効率的に反射するカラー、例えば、白色、銀色などで形成され得る。
【００８３】
基板４１０は、放熱体６００と反射体３００との間に配置される。具体的に、基板４１０は放熱体６００の上に配置され、基板４１０の上に反射体３００が配置される。ここで、図６に示された基板４１０の穴４１１に、図５に示された反射体３００の突出部３５０が挿入されることによって、基板４１０と反射体３００は結合することができ、反射体３００への基板４１０の結合方向と結合位置を識別することができる。
【００８４】
基板４１０は、駆動部５００と電気的に連結される。しかし、基板４１０と駆動部５００は物理的には分離する。すなわち、基板４１０と駆動部５００は空間的に離隔する。具体的に、基板４１０は放熱体６００の突出部６７０の上に配置され、駆動部５００の回路基板５１０は、放熱体６００のベース部６１０の上に配置される。このように、光源部４００と駆動部５００が物理的又は空間的に分離して配置されれば、駆動部５００からの熱が直接的に光源部４００に伝達されないという利点があり、光源部４００からの熱が駆動部５００に直接伝達されず、駆動部５００の回路部品を保護できるという利点がある。また、駆動部５００と光源部４００が互いに独立して配置されるため、メンテナンスが容易であるという利点もある。
【００８５】
基板４１０は、駆動部５００の回路基板５１０と電気的に連結される。基板４１０と回路基板５１０は電線を通じて連結され得る。それだけでなく、基板４１０と回路基板５１０は電線を使わずに、コネクタを通じて電気的に連結され得る。コネクタに対しては、駆動部５００を説明した後に、添付された図面を参照して具体的に説明することにする。
【００８６】
発光素子４３０は、基板４１０の一面に複数個が配置される。
【００８７】
発光素子４３０は、赤色、緑色、青色の光を放出する発光ダイオードチップであるか、又はＵＶを放出する発光ダイオードチップであり得る。ここで、発光ダイオードは、水平型（Ｌａｔｅｒａｌ Ｔｙｐｅ）又は垂直型（Ｖｅｒｔｉｃａｌ Ｔｙｐｅ）であり、発光ダイオードは、青色（Ｂｌｕｅ）、赤色（Ｒｅｄ）、黄色（Ｙｅｌｌｏｗ）、又は、緑色（Ｇｒｅｅｎ）を発散し得る。
【００８８】
発光素子４３０は蛍光体を有し得る。蛍光体は、発光ダイオードが青色発光ダイオードである場合、ガーネット（Ｇａｒｎｅｔ）系（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系のうち少なくとも何れか一つ以上を含み得る。
【００８９】
駆動部５００は外部から電源の提供を受け、提供を受けた電源を光源部４００に合うように変換する。そして、変換された電源を光源部４００に供給する。
【００９０】
駆動部５００はハウジング１００に収納され、放熱体６００のベース部６１０の上に配置され得る。
【００９１】
駆動部５００は、回路基板５１０と回路基板５１０の上に載置される多数の部品５２０を含み得る。多数の部品５２０は、例えば、外部電源から提供される交流電源を直流電源に変換する直流変換装置、光源部４００の駆動を制御する駆動チップ、光源部４００を保護するためのＥＳＤ（ＥｌｅｃｔｒｏＳｔａｔｉｃ Ｄｉｓｃｈａｒｇｅ）保護素子などを含み得る。
【００９２】
回路基板５１０は円形の板形状を有しているが、これに限定されず、多様な形態を有し得る。例えば、楕円形又は多角形の板形状であり得る。このような回路基板５１０は、絶縁体に回路パターンが印刷されたものであり得る。
【００９３】
回路基板５１０は、突出板５３０を有し得る。突出板５３０は、回路基板５１０から外側方向に突出又は延びた形状を有し得る。突出板５３０は、回路基板５１０とは異なってハウジング１００の内部ではない外部に配置され、外部から電源の提供を受ける。
【００９４】
突出板５３０は、ハウジング１００の第２溝１７０に挿入され、カバー１８０によってハウジング１００に固定され得る。
【００９５】
突出板５３０は、複数の電極パッド５３１を有し得る。電極パッド５３１を介して外部の電源が供給される。電極パッド５３１は回路基板５３０と電気的に連結され、供給される電源を回路基板５３０に供給する。
【００９６】
回路基板５１０は、キー溝５５０を有し得る。キー溝５５０にはハウジング１００のキー１９０が挿入される。キー溝５５０により、回路基板５１０の結合方向と結合位置が分かる。
【００９７】
回路基板５１０は挿入穴５６０を有し得る。挿入穴５６０は、回路基板５１０の中心に配置され得る。挿入穴５６０に放熱体６００の突出部６７０が挿入される。放熱体６００の突出部６７０が挿入穴５６０を貫通して配置されることによって、光源部４００と駆動部５００が空間又は物理的に分離配置され得る。
【００９８】
回路基板５１０は貫通穴５７０を有し得る。貫通穴５７０に反射体３００の支持部３７０が貫通する。貫通穴５７０により、回路基板５１０は反射体３００と放熱体６００との間に配置され得る。
【００９９】
回路基板５１０は、光源部４００の基板４１０と電気的に連結される。一般的な電線を通じて回路基板５１０と基板４１０は連結され得る。また、回路基板５１０と基板４１０は電線を使わずに、コネクタを通じて電気的に連結され得る。図６ないし図８を参照してコネクタを説明することにする。
【０１００】
図６は、図３に示された光源部と駆動部の回路基板にコネクタを追加した分解斜視図であり、図７は、図６に示されたコネクタの斜視図であり、図８は、図７に示されたコネクタの分解斜視図である。
【０１０１】
コネクタ７００は、回路基板５１０と基板４１０を電気的に連結する。また、コネクタ７００は、光源部４００を駆動部５００の上に固定させ、光源部４００と駆動部５００の結合位置と結合方向を容易に識別できるようにする。
【０１０２】
コネクタ７００は、絶縁本体７１０と導体部７３０を含み得る。
【０１０３】
絶縁本体７１０は、導体部７３０を収納するための収納溝７１５を有する。具体的に、収納溝７１５は、第１導体部７３０ａを収納するための第１収納溝７１５ａと第２導体部７３０ｂを収納するための第２収納溝７１５ｂとを有し得る。第１収納溝７１５ａと第２収納溝７１５ｂは連結されず、互いに離隔して形成される。
【０１０４】
絶縁本体７１０は、基板４１０の一部分が挿入される挿入溝７１１を有する。ここで、収納溝７１５の方向と挿入溝７１１の方向は、実質的に垂直をなし得る。収納溝７１５と挿入溝７１１は、一部が連結され得る。基板４１０が挿入溝７１１に挿入されることによって、基板４１０を回路基板５１０の上に固定させることができる。
【０１０５】
絶縁本体７１０の一部は、回路基板５１０のドッキング５９０に挿入される。したがって、導体部７３０と回路基板５１０が電気的及び物理的に連結され得る。
【０１０６】
導体部７３０は、絶縁本体７１０の収納溝７１５に収納される。導体部７３０は、第１収納溝７１５ａに収納される第１導体部７３０ａと第２収納溝７１５ｂに収納される第２導体部７３０ｂとを有し得る。第１導体部７３０ａと第２導体部７３０ｂは、離隔配置された第１収納溝７１５ａと第２収納溝７１５ｂにより電気的及び物理的に絶縁される。
【０１０７】
第１導体部７３０ａは、基板４１０の電極パッド４１３と接触する第１接触部７３０ａ−１を有する。第１接触部７３０ａ−１は、所定の弾性を有する。したがって、第１接触部７３０ａ−１は、基板４１０の電極パッド４１３を押すと同時に基板４１０を圧迫することができる。
【０１０８】
第１接触部７３０ａ−１は、回路基板５１０のドッキング５９０と物理的に連結される第２接触部７３０ａ−３を有する。第２接触部７３０ａ−３がドッキング５９０に挿入されれば、回路基板５１０と電気的に連結される。
【０１０９】
第２導体部７３０ｂは第１導体部７３０ａと同一であるため、第２導体部７３０ａの説明は、先に上述した第１導体部７３０ａの説明に代える。
【０１１０】
再び図１ないし図５を参照して放熱体６００を説明することにする。
【０１１１】
放熱体６００は、光源部４００と駆動部５００からの熱を放熱する。
【０１１２】
放熱体６００は、ベース部６１０と突出部６７０を有し得る。
【０１１３】
ベース部６１０は、所定の厚さを有する円形の板形状であってもよく、回路基板５１０が配置される第１面を有し得る。突出部６７０は、ベース部６１０の中心部から上に突出又は延びた形状を有し得て、基板４１０が配置される第２面を有し得る。
【０１１４】
ここで、第１面と第２面は、所定の段差を有する。第２面が第１面の上に位置する。第１面と第２面の段差によって、基板４１０と回路基板５１０が空間的に分離され得る。
【０１１５】
ベース部６１０の上に駆動部５００の回路基板５１０が配置され、突出部６７０の上に光源部４００の基板４１０が配置される。突出部６７０は、回路基板５１０の挿入穴５６０を貫通する。ベース部６１０と突出部６７０により、光源部４００と駆動部５００が物理的又は空間的に分離し配置される。また、ベース部６１０と突出部６７０により、ハウジング１００の内部で光源部４００が駆動部５００の上に配置され得る。
【０１１６】
突出部６７０は、ベース部６１０と一体であり得る。すなわち、突出部６７０とベース部６１０は、ダイキャスト（ｄｉｅｃａｓｔｉｎｇ）で製作され、突出部６７０とベース部６１０が一つの物体に製作されたものであり得る。
【０１１７】
それだけでなく、突出部６７０とベース部６１０は、互いに独立的な構成で互いに結合され得る。具体的に、図９ないし図１１を参照して説明することにする。
【０１１８】
図９は、図３に示された放熱体の変形例を示す斜視図であり、図１０は、図９に示された放熱体の分解斜視図であり、図１１は、図９に示された放熱体の断面図である。
【０１１９】
図９ないし図１１に示された放熱体６００’は、ベース部６１０’と突出部６７０’を含み得る。ここで、放熱体６００’は、図３及び図４に示された放熱体６００の他の構成も含み得る。
【０１２０】
ベース部６１０’は、図３及び図４に示されたベース部６１０とほとんど同一である。
【０１２１】
ベース部６１０’は、突出部６７０’と結合する穴６１５’を有する。穴６１５’は、ベース部６１０’の中心部に形成されたものであり得る。具体的に、穴６１５’には突出部６７０’の結合部６７５’が結合する。穴６１５’と結合部６７５’は、抑止嵌込方式で結合し得る。
【０１２２】
突出部６７０’は、ベース部６１０’と結合する。具体的に、突出部６７０’は、ベース部６１０’の穴６１５’に挿入される。このような突出部６７０’は、配置部６７１’、係止部６７３’及び結合部６７５’を含み得る。
【０１２３】
結合部６７５’は、ベース部６１０’の穴６１５’に挿入される。ここで、結合部６７５’は、ベース部６１０’の穴６１５’全体を埋めずに、一部分だけ埋めることができる。
【０１２４】
係止部６７３’は、配置部６７１’の側面から外側に突出した形状を有し得る。このような係止部６７３’は、突出部６７０’がベース部６１０’に結合する時、突出部６７０’がベース部６１０’の穴６１５’を貫通しないように止める。また、係止部６７３’はベース部６１０の上面（第１面）と接触する。したがって、突出部６７０’とベース部６１０’の接触面積が広くなるので、放熱性能が向上し得る。
【０１２５】
配置部６７１’は、図３及び図４に示された光源部４００が配置される上面（第２面）と係止部６７３’が突出する側面を有する。
【０１２６】
図９ないし図１１に示されたベース部６１０’と突出部６７０’は、プレスによって加工されて結合することができる。ここで、突出部６７０’は、ベース部６１０’の穴６１５’に抑止嵌込方式で結合することができる。
【０１２７】
図９ないし図１１に示された放熱体６００’はプレスを通じて加工され、係止部６７３’とベース部６１０’の接触面積の増加によって、図３及び図４に示された放熱体６００より放熱特性がさらに良い。
【０１２８】
図１２は、図３に示された放熱体の第１変形例を示す斜視図である。
【０１２９】
図１２に示された放熱体６００’’は、ヒートパイプ（ｈｅａｔｐｉｐｅ）６８０を有する。
【０１３０】
ヒートパイプ６８０は、ベース部６１０と突出部６７０の上に配置され得る。ヒートパイプ６８０は、ベース部６１０の一部と突出部６７０の一部との上に配置され得る。このような、ヒートパイプ６８０は突出部６７０の形状に伴う形状を有するが、突出部６７０の突出した形状に伴い一部分が曲がり得る。
【０１３１】
ヒートパイプ６８０は、一般的な管タイプだけでなくフラット（Ｆｌａｔ）タイプであってもよい。ここで、フラットタイプは、ヒートパイプ６８０の断面が幾何学的に完璧な四角形だけでなく、四角形の各角が折れ曲がった不完全な四角形も含む。
【０１３２】
ヒートパイプ６８０は、突出部６７０の上に配置される図３に示された光源部４００からの熱をベース部６１０に素早く伝達することができる。ヒートパイプ６８０について具体的に説明することにする。
【０１３３】
ヒートパイプ６８０は、内部に所定の空間を有する。前記空間は外部と連結されず、真空状態にある。前記空間は、ベース部６１０と突出部６７０の上に配置される。前記空間は中間で途切れないで、ヒートパイプ６８０の一端部から別の一端部まで連結され得る。
【０１３４】
前記空間には沸点が低い冷媒が配置される。前記冷媒は、前記空間でも特に、突出部６７０の上に配置され得る。冷媒は、アンモニア、フレオン１１、フレオン１１３、アセトン、メタノール、エタノールの何れか一つであってもよいが、これに限定される訳ではない。
【０１３５】
前記空間には、ベース部６１０の外周で凝縮された冷媒を突出部６７０に移送させるための部材が配置され得る。前記部材は、毛細管の力を利用する織物、金属網（ｍｅｔａｌ ｍｅｓｈ）、粉末焼結体（Ｓｉｎｔｅｒｅｄ ｐｏｗｄｅｒ）であり得る。毛細管の力を使えば、重力による影響を減らすことができる利点がある。
【０１３６】
ヒートパイプ６８０の動作を説明すると、突出部６７０の上に配置された光源部４００が動作して熱を放出すれば、ヒートパイプ６８０内部の冷媒は熱を吸収することになり、水蒸気として気化する。気化した水蒸気は、ヒートパイプ６８０内部の空間に沿って温度が相対的に低いベース部６１０に移動する。ベース部６１０は相対的に突出部６７０より温度が低いので、気化した水蒸気はベース部６１０の外周で液化して再び冷媒に変換される。変換された冷媒は、ヒートパイプ６８０に沿って突出部６７０の上に移動する。ここで、冷媒の移動は重力によって移動することができ、毛細管の力によって移動することができる。毛細管の力を使う場合、ヒートパイプ６８０内部には上述した部材が配置され得る。
【０１３７】
ヒートパイプ６８０は、銀、銅及びアルミニウムに比べて非常に高い熱伝導係数を有し、別途の動力が必要なく、反永久的に使用できるという利点がある。
【０１３８】
図１３は、図３に示された放熱体の第２変形例を示す斜視図である。
【０１３９】
図１３に示された放熱体６００’’’はヒートパイプ６８０’を有する。図１３に示されたヒートパイプ６８０’は、図１２に示されたヒートパイプ６８０と動作は同一であるが、構造が異なる。
【０１４０】
図１３に示されたヒートパイプ６８０’は、突出部６７０の側面とベース部６１０の上に配置される。
【０１４１】
また、ヒートパイプ６８０’は複数で配置される。図１３では、２つのヒートパイプ６８０がまっすぐに配置されているが、これに限定される訳ではなく、３以上のヒートパイプ６８０’が配置され得る。
【０１４２】
図１４は、図３に示された放熱体の第３変形例を示す断面図である。
【０１４３】
図１４に示された放熱体６００’’’’は、ベース部６１０’と突出部６７０’’を有する。ベース部６１０’は、図１１に示されたベース部６１０’と同一である。突出部６７０’’は、図１１に示された突出部６７０’と外観は同一であるが、内部構造が異なる。
【０１４４】
突出部６７０’’は、内部に空間６７１’’を有する。前記空間６７１’’は真空状態であり、前記空間６７１’’には冷媒６７３’’が配置される。すなわち、突出部６７０’’は冷媒６７３’’を有する。
【０１４５】
冷媒６７３’’は空間６７１’’を全て満たさず、空間６７１’’の一部に満たされる。特に、冷媒６７３’’は、突出部６７０’’の上面の下、又は、上端領域、すなわち光源部４００と最も隣接した領域に配置され得る。ここで、冷媒６７３’’は、アンモニア、フレオン１１、フレオン１１３、アセトン、メタノール、エタノールのいずれか一つであり得るが、これに限定される訳ではない。
【０１４６】
突出部６７０’’の内壁又は空間６７１’’を定義する内壁には、部材６７５’’が配置され得る。部材６７５’’は、突出部６７０’’の下端領域で液化した冷媒を突出部６７０’’の上端領域に移送させる。部材６７５’’は真空状態である空間６７１’’において、毛細管の力を利用できる織物、金属網（ｍｅｔａｌ ｍｅｓｈ）、粉末焼結体（Ｓｉｎｔｅｒｅｄ ｐｏｗｄｅｒ）であり得る。毛細管の力を使えば、重力による影響を減らすことができる利点がある。
【０１４７】
突出部６７０’’の上面に配置された光源部４００が動作すると、光源部４００から熱が発生する。発生した熱は突出部６７０’’内部の空間６７１’’に配置された冷媒６７３’’を水蒸気に気化させる。気化した水蒸気は、相対的に温度が低い突出部６７０’’の下端領域に移動し、移動した水蒸気は突出部６７０’’の下端領域で再び冷媒に液化する。液化した冷媒は部材６７５’’に沿って再び突出部６７０’’の上端領域に移動する。
【０１４８】
図１４に示された放熱体６００’’’’は、突出部６７０’’がヒートパイプ構造を有する。したがって、光源部４００からの熱を素早くベース部６１０’に伝達することができる。
【０１４９】
図１５は、図３に示された放熱体の第４変形例を示す断面図である。
【０１５０】
図１５に示された放熱体６００’’’’’は、ベース部６１０’’と突出部６７０’’’を有する。ベース部６１０’’の外観は、図１２及び図１３に示されたベース部６１０と同一であるが、内部構造が異なる。突出部６７０’’’の外観は、図１２及び図１３に示された突出部６７０と同一であるが、内部構造が異なる。
【０１５１】
ベース部６１０’’は、内部に空間６７１’’’の一部を有する。突出部６７０’’’は、内部に空間６７１’’’の残りの一部を有する。空間６７１’’’は、ベース部６１０’’と突出部６７０’’’の形状に伴う形状を有する。空間６７１’’’は一つであって、真空状態にある。空間６７１’’’には冷媒６７３’’が配置される。
【０１５２】
冷媒６７３’’は空間６７１’’’を全て満たさず、空間６７１’’’の一部に満たされる。特に、冷媒６７３’’は、突出部６７０’’’の上面の下、又は、上端領域、すなわち光源部４００と最も隣接した領域に配置され得る。
【０１５３】
空間６７１’’’を定義する内壁には、部材６７５’’’が配置され得る。部材６７５’’’は、突出部６７０’’’の内壁とベース部６１０’’の内壁に配置され得る。部材６７５’’’は、ベース部６１０’’の外周領域から液化した冷媒を突出部６７０’’’の上端領域に移送させる。部材６７５’’’は真空状態である空間６７１’’’において、毛細管の力を利用できる織物、金属網（ｍｅｔａｌ ｍｅｓｈ）、粉末焼結体（Ｓｉｎｔｅｒｅｄ ｐｏｗｄｅｒ）であり得る。毛細管の力を使えば、重力による影響を減らすことができる利点がある。
【０１５４】
突出部６７０’’’の上面に配置された光源部４００が動作すると、光源部４００から熱が発生する。発生した熱は、突出部６７０’’’内部の空間６７１’’’に配置された冷媒６７３’’を水蒸気に気化させる。気化した水蒸気は相対的に温度が低い突出部６７０’’’の下端領域を経てベース部６１０’’の外周領域に移動し、移動した水蒸気はベース部６１０’’の外周領域で再び冷媒に液化する。液化した冷媒は、部材６７５’’’に沿って再び突出部６７０’’’の上端領域に移動する。
【０１５５】
図１５に示された放熱体６００’’’’’は、ベース部６１０’’と突出部６７０’’’がヒートパイプ構造を有する。したがって、光源部４００からの熱が素早くベース部６１０’’に伝達され得る。
【０１５６】
図１６は、図３に示された放熱体６００の熱分布の様子を示す図面であり、図１７は、図９に示された放熱体６００’の熱分布の様子を示す図面であり、図１８は、図１２に示された放熱体６００’’の熱分布の様子を示す図面であり、図１９は、図１４に示された放熱体６００’’’’の熱分布の様子を示す図面であり、図２０は、図１５に示された放熱体６００’’’’’の熱分布の様子を示す図面である。
【０１５７】
図１６ないし図２０は、突出部に一定の熱（２０Ｗ）を一定の時間のあいだ供給して実験した結果である。
【０１５８】
図１６の放熱体６００の突出部における最大温度は、約８５．９６度（ｄｅｇｒｅｅ）、図１７の放熱体６００’の突出部における最大温度は、おおよそ７７．７２度、図１８の放熱体６００’’の突出部における最大温度は、おおよそ６３．３０度、図１９の放熱体６００’’’’の突出部における最大温度は、おおよそ７０．８８度、図２０の放熱体６００’’’’’の突出部における最大温度は、おおよそ６５．４５度と測定された。
【０１５９】
実験結果を整理すると、図２０の放熱体６００’’’’’が最も良い放熱性能を有することが分かった。
【０１６０】
再び、図１ないし図５を参照すると、放熱体６００は突出突起６２０を有し得る。突出突起６２０は、ベース部６１０の外周から外側に突出したものであり得る。ここで、突出突起６２０は、放熱体６００がハウジング１００に収納される方向と実質的に垂直の方向に突出したものであり得る。突出突起６２０は、ハウジング１００の第１溝１５０に挿入される。突出突起６２０が第１溝１５０に挿入されることによって、放熱体６００はハウジング１００内に挿入されず、ハウジング１００の下部開口１１０ｂを塞ぐ。
【０１６１】
放熱体６００は、キー溝６３０を有し得る。キー溝６３０は、ベース部６１０の外周から突出部６７０方向に掘られた溝であり得る。キー溝６３０にはハウジング１００のキー１９０が挿入される。キー溝６３０により、放熱体６００の結合方向と結合位置を容易に識別することができる。
【０１６２】
放熱体６００は、ボルトＢが貫通する穴６５０を有し得る。穴６５０は反射体３００の支持部３７０と対応するように配置される。
【０１６３】
放熱体６００は、熱放出効率に優れた金属材質又は樹脂材質で形成され得るが、これに限定されない。例えば、前記放熱体６００の材質は、アルミニウム（Ａｌ）、ニッケル（Ｎｉ）銅（Ｃｕ）、銀（Ａｇ）、錫（Ｓｎ）の少なくとも一つを含み得る。
【０１６４】
放熱体６００は、放熱パッド６９０を有し得る。放熱パッド６９０は、放熱体６００のベース部６１０と駆動部５００の回路基板５１０との間に配置され得る。また、放熱パッド６９０は、ベース部６１０の一部分に配置され得る。放熱パッド６９０は所定の厚さを有し、駆動部５００の回路基板５１０からの熱をベース部６１０に素早く伝達することができる。ここで、放熱パッド６９０は、回路基板５１０における特定の部分にのみ配置され得るが、これは回路基板５１０の上に配置される多数の部品５２０のうち、特に熱をたくさん放出する部品、例えば変圧器の下にのみ配置することができる。
【０１６５】
図２１は、図１に示された照明装置の様々な構成のうち、一部の構成の変形例を示す斜視図であり、図２２は図２１の分解斜視図である。
【０１６６】
図２１及び図２２に示された照明装置は、駆動部５０００、放熱体６０００、ヒートパイプ６８００及び支持板７０００を含み得る。図２１及び図２２に示された照明装置は、図１ないし図４に示されたハウジング１００、光学板２００、反射体３００及び光源部４００をさらに含み得る。ハウジング１００、光学板２００、反射体３００及び光源部４００は、先に上述したので、以下では駆動部５０００、放熱体６０００、ヒートパイプ６８００及び支持板７０００を具体的に説明することにする。
【０１６７】
放熱体６０００は円形形状を有する。
【０１６８】
放熱体６０００は、ヒートパイプ６８００の一部分と結合する収納部６５００を有し得る。このような収納部６５００は、ヒートパイプ６８００を放熱体６０００の上に固定させる機能を担当する。収納部６５００は、放熱体６０００の上面に配置され得る。また、収納部６５００は、ヒートパイプ６８００の下端部が挿入される収納溝であり得る。収納溝６５００の形状は、ヒートパイプ６８００の下端部と対応する形状を有する。
【０１６９】
図２２では、収納部６５００が放熱体６０００の上面に配置されたものとして示されているが、これに限定される訳ではない。例えば、収納部６５００は、放熱体６０００の側面にも形成することができ、放熱体６０００の下面にも配置することができる。この場合、ヒートパイプ６８００の形状は、放熱体６０００の収納部６５００に対応するように、その構造が変更され得る。ヒートパイプ６８００の多様な形状は、追って説明することにする。
【０１７０】
駆動部５０００は、放熱体６０００に配置される。具体的に、駆動部５０００は放熱体６０００の上面の上に配置される。このような駆動部５０００は、回路基板５１００と回路基板５１００の上に載置される多数の部品５２００を含み得る。
【０１７１】
駆動部５０００は、ヒートパイプ６８００により囲まれる。
【０１７２】
回路基板５１００は、図２１及び図２２において、四角形の板形状であるが、これに限定される訳ではない。例えば、円形、多角形の板形状であってもよい。
【０１７３】
ヒートパイプ６８００の上に、図３に示された光源部４００が配置される。ヒートパイプ６８００は、光源部４００を駆動部５０００の上に配置させ、光源部４００から発生した熱を放熱体６０００に伝達する。
【０１７４】
ヒートパイプ６８００の幅は、図３に示された光源部４００の基板４１０の幅と少なくとも同じか大きいほうが良い。すなわち、光源部４００の基板４１０の下面全体がヒートパイプ６８００と接したほうが良い。
【０１７５】
ヒートパイプ６８００は、放熱体６０００の上に配置される。ここで、ヒートパイプ６８００は、複数で放熱体６０００の上に配置され得る。例えば、二つ以上のヒートパイプ６８００が互いに連結又は互いに離隔して放熱体６０００の上に配置され得る。複数個のヒートパイプ６８００を用いれば、熱伝達効率が向上するという利点もあり、一つのヒートパイプ６８００の幅が図３に示された光源部４００の基板４１０の幅より小さい場合に表われる放熱機能の短所を補完することができる。
【０１７６】
ヒートパイプ６８００は、放熱体６０００と結合する。ヒートパイプ６８００は放熱体６０００の収納部６５００に配置されることによって、放熱体６０００と結合することができる。
【０１７７】
ヒートパイプ６８００は、内部に沸点が低い冷媒を有する。具体的なヒートパイプ６８００の構造は、先に上述したので、これに対する説明は省略することにする。
【０１７８】
ヒートパイプ６８００は、駆動部５０００を囲む構造を有する。具体的に、図２３を参照して説明することにする。
【０１７９】
図２３は、図２１に示されたヒートパイプのみの斜視図である。
【０１８０】
図２３を参照すると、ヒートパイプ６８００は、まっすぐな一つのヒートパイプを四角形形状に複数回折り曲げて製作することができる。この場合、まっすぐなヒートパイプの両端が連結され得る。
【０１８１】
図２４は、図２３に示されたヒートパイプの変形例の斜視図である。
【０１８２】
図２４を参照すると、ヒートパイプ６８００’は、まっすぐな一つのヒートパイプを複数回折り曲げたものである。図２４に示されたヒートパイプ６８００’は、まっすぐなヒートパイプの両端が互いに連結されない。
【０１８３】
このような構造を有するヒートパイプ６８００’により、図２２に示された放熱体６０００の収納部６５００の構造が変わり得る。例えば、収納部６５００が放熱体６０００の側面に形成され得る。すなわち、ヒートパイプ６８００’の両端がそれぞれ挿入され得る溝が放熱体６０００の側面に形成され得る。
【０１８４】
図２５は、図２３に示されたヒートパイプの変形例の斜視図である。
【０１８５】
図２５を参照すると、ヒートパイプ６８００’’は、まっすぐな二つのヒートパイプ用いて製作されたものであり得る。この場合、各ヒートパイプは、「コ」の字形状に折り曲げられた形状を有し、二つのヒートパイプは連結される。
【０１８６】
再び、図２１及び図２２を参照すると、実施形態による照明装置は、支持板７０００を有し得る。
【０１８７】
支持板７０００は、ヒートパイプ６８００の上に配置され得る。具体的に、支持板７０００は、ヒートパイプ６８００の上端部においても中心部に配置され得る。支持板７０００は、熱伝導性が良い金属材質の板であり得る。
【０１８８】
支持板７０００は、ヒートパイプ６８００と熱伝導性テープや接着性と熱伝導性を共に有する樹脂などによって互いに結合され得る。
【０１８９】
支持板７０００の上に、図３に示された光源部４００が配置され得る。支持板７０００は、光源部４００から発生した熱をヒートパイプ６８００に伝達する。このような支持板７０００は、ヒートパイプ６８００の幅が光源部４００の基板４１０の幅より小さい場合に有用に用いることができる。また、支持板７０００は、図２５に示されたヒートパイプ６８００’’で有用に用いることができる。すなわち、支持板７０００は、「コ」の字形状の二つのヒートパイプを連結させることができる。
【０１９０】
支持板７０００は、図３に示された光源部４００の基板４１０の形状に対応する形状を有し得る。
【０１９１】
図２６は、図３に示された放熱体６００の熱分布の様子を示す図面であり、図２７は、図２１に示された放熱体６０００、ヒートパイプ６８００及び支持板７０００の熱分布の様子を示す図面である。図２６と図２７は、同じ条件で実験した結果である。
【０１９２】
図２６における最大温度は、約８３．５６度であり、図２７における最大温度は約７５．０３度と測定された。実験の結果、図２７に示された照明装置が、図２６に示された照明装置より良い放熱性能を有することを確認することができる。
【０１９３】
以上で、実施形態を中心に説明したが、これはただ例示にすぎず、本発明を限定するものではなく、本発明が属する技術分野の通常の知識を有する者であれば、本実施形態の本質的な特性を外れない範囲で、以上に例示されない様々な変形や応用が可能であることが分かるはずである。例えば、実施形態に具体的に示された各構成要素は、変形して実施することができるものである。そして、このような変形と応用に関係した相違点は、添付された請求の範囲で規定する本発明の範囲に含まれるものと解釈されるべきであるといえる。
【図１】
2014522090.tif 000003
【図２】
2014522090.tif 000004
【図３】
2014522090.tif 000005
【図４】
2014522090.tif 000006
【図５】
2014522090.tif 000007
【図６】
2014522090.tif 000008
【図７】
2014522090.tif 000009
【図８】
2014522090.tif 000010
【図９】
2014522090.tif 000011
【図１０】
2014522090.tif 000012
【図１１】
2014522090.tif 000013
【図１２】
2014522090.tif 000014
【図１３】
2014522090.tif 000015
【図１４】
2014522090.tif 000016
【図１５】
2014522090.tif 000017
【図１６】
2014522090.tif 000018
【図１７】
2014522090.tif 000019
【図１８】
2014522090.tif 000020
【図１９】
2014522090.tif 000021
【図２０】
2014522090.tif 000022
【図２１】
2014522090.tif 000023
【図２２】
2014522090.tif 000024
【図２３】
2014522090.tif 000025
【図２４】
2014522090.tif 000026
【図２５】
2014522090.tif 000027
【図２６】
2014522090.tif 000028
【図２７】
2014522090.tif 000029
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
ベース部と前記ベース部の上に配置された突出部とを有する放熱体と、
前記突出部の上に配置された光源部と、
前記ベース部の上に配置され、前記光源部と電気的に連結された駆動部と、
を含み、
前記駆動部は、外部から電源の提供を受ける回路基板を有し、
前記回路基板は、前記突出部が貫通する穴を有する、照明装置。
【請求項２】
前記光源部と前記駆動部を電気的に連結し、前記光源部を前記駆動部の上に固定させるコネクタを含み、
前記コネクタは、導体部と、前記導体部が配置されて挿入溝を有する絶縁本体とを含み、
前記光源部は、一部分が前記絶縁本体の挿入溝に挿入され、前記導体部と電気的に連結される電極パッドを有し、
前記駆動部は、前記絶縁本体の一部分と結合するドッキングを有し、前記コネクタの導体部と電気的に連結される、請求項１に記載の照明装置。
【請求項３】
前記光源部の上に配置された光学板と、
前記光源部と前記駆動部を収納し、前記光学板が配置された上部開口及び前記放熱体が配置された下部開口を有するハウジングと、
前記ハウジングに収納され、前記光学板と前記光源部との間に配置された反射体と、
を含む、請求項１又は２に記載の照明装置。
【請求項４】
前記反射体は、
前記光源部からの光を前記光学板で反射する反射部と、
前記反射部を前記放熱体の上に支持し、前記駆動部を貫通して、前記放熱体と結合する支持部と、
を含む、請求項３に記載の照明装置。
【請求項５】
前記反射部は、少なくとも２以上の傾斜面を有する、請求項４に記載の照明装置。
【請求項６】
前記光源部は、穴を有する基板と発光素子とを含み、
前記反射部は、前記基板の穴に挿入される突出部を有する、請求項４又は５に記載の照明装置。
【請求項７】
前記突出部は３つであり、
前記３つの突出部の間の間隔は互いに異なる、請求項６に記載の照明装置。
【請求項８】
前記ハウジングは、係止部を有し、
前記反射体は、前記係止部と結合する係止突起を有し、
前記係止突起は、前記反射体が前記ハウジングに収納される方向を軸に回転して前記係止部と結合する、請求項３から７のいずれか１項に記載の照明装置。
【請求項９】
前記光学板の直径は、前記ハウジングの上部開口の直径より大きく、
前記光学板は、前記反射体の係止突起と前記ハウジングの係止部との結合によって前記ハウジングの上部開口に固定される、請求項８に記載の照明装置。
【請求項１０】
前記ハウジングは、キーを有し、
前記駆動部と前記放熱体は、前記キーが挿入されるキー溝をそれぞれ有する、請求項３から９のいずれか１項に記載の照明装置。
【請求項１１】
前記駆動部のキー溝は、前記放熱体のキー溝より大きい、請求項１０に記載の照明装置。
【請求項１２】
前記回路基板と前記放熱体のベース部との間に配置された放熱パッドを含む、請求項１から１１のいずれか１項に記載の照明装置。
【請求項１３】
前記放熱パッドは、前記放熱体のベース部の一部分に配置される、請求項１２に記載の照明装置。
【請求項１４】
前記放熱体のベース部は穴を有し、
前記突出部は前記穴に結合する、請求項１から１３のいずれか１項に記載の照明装置。
【請求項１５】
前記放熱体と前記光源部との間に配置されたヒートパイプをさらに含む、請求項１から１４のいずれか１項に記載の照明装置。
【請求項１６】
前記放熱体は、内部にヒートパイプ構造を有する、請求項１から１４のいずれか１項に記載の照明装置。
【国際調査報告】
2014522090.tif 000030
2014522090.tif 000031